(57)【要約】【課題】  簡単な構成で、且つ、簡単な作業によって、強度及び居住性に優れた建築物を構築することを可能にするラティスパネルと建築物構築方法と建築物を提供すること。【解決手段】  十文字状をなす第１骨組材と、Ｌ字状をなす第２骨組材と、上記第１骨組材を適当数用意してそれらを連接していくと共にその外周位置に上記第２骨組材を連接することにより組み立てられたパネル本体の外周部に取り付けられた枠材と、を具備したこものであり、それによって、比較的簡単な構成で充分な強度を備えた壁構造物を提供することが可能になる。  【選択図】  図１
2005083089.tif 000002
【特許請求の範囲】
【請求項１】
十文字状をなす第１骨組材と、
Ｌ字状をなす第２骨組材と、
上記第１骨組材を適当数用意してそれらを連接していくと共にその外周に上記第２骨組材を連接することにより組み立てられたパネル本体の外周部に取り付けられた枠材と、
を具備したことを特徴とするラティスパネル。
【請求項２】
請求項１記載のラティスパネルにおいて、
上記第１骨組材は４個の延長部の端部に係合部を備えており、隣接する第１骨組材同士は夫々の係合部同士を係合させることにより連接されることを特徴とするラティスパネル。
【請求項３】
請求項１又は請求項２記載のラティスパネルにおいて、
上記第２骨組材の２個の延長部の端部にも上記第１骨組材の係合部と同形状の係合部が設けられており、該係合部と上記第１骨組材の係合部を介して上記第１骨組材に連接されることを特徴とするラティスパネル。
【請求項４】
請求項２又は請求項３記載のラティスパネルにおいて、
上記係合部同士を係合させたときに中空部が形成され、該中空部内に軸部材を挿入するようにしたことを特徴とするラティスパネル。
【請求項５】
請求項４記載のラティスパネルにおいて、
上記軸部材は中空部材であって雌ねじ部を備えていて、該雌ねじ部に片側或いは両側からねじ部材を螺合させるようにしたことを特徴とするラティスパネル。  
【請求項６】
請求項１〜請求項５の何れかに記載のラティスパネルにおいて、
上記第２骨組材のＬ字状の角部には平坦部が形成されていて、該平坦部を介して上記枠材に固定されることを特徴とするラティスパネル。
【請求項７】
請求項１〜請求項６の何れかに記載された第１パネルと、
上記枠材のみによって形成された第２パネルと、
を具備し、
これら第1パネルと第２パネルを適当数連接して構成されたことを特徴とするラティスパネル。
【請求項８】
請求項１〜請求項７の何れかに記載のラティスパネルを使用して建築物の壁を構築することを特徴とする建築物構築方法。
【請求項９】
請求項１〜請求項７の何れかに記載のラティスパネルを使用して構築された壁を備えたことを特徴とする建築物。
【発明の詳細な説明】
【技術分野】
【０００１】
本発明は、ラティス（ｌａｔｔｉｃｅ、格子状）パネルと建築物構築方法と建築物に係り、特に、十文字状をなす第１骨組材とＬ字状をなす第２骨組材と枠材とを必要に応じて適宜組み合わせてなるラティスパネルを使用することにより、所望の強度を備えた壁構造物を簡単に得ることができるように工夫したものに関する。
【背景技術】
【０００２】
いわゆる「パネル工法」を開示したものとしては、例えば、特許文献１、特許文献２、特許文献３、特許文献４、特許文献５等がある。
【０００３】
【特許文献１】特開平９−３０２８０９号公報
【特許文献２】特開平１１−２４７３３７号公報
【特許文献３】特開平１１−２５６７２６号公報
【特許文献４】特開２００１−３１７１５６号公報
【特許文献５】特開２００３−１０５９１８号公報
【発明の開示】
【発明が解決しようとする課題】
【０００４】
上記従来の構成によると次のような問題があった。
まず、従来のパネル工法は専ら木造住宅を主眼においたものであり、例えば、各種の工場、作業所、事務所等に適したものではなかった。
又、各種の工場、作業所、事務所用のパネル工法もあるが、それらは何れもいわゆる「プレハブ」と称される極めて簡易なものであり、強度の面、居住性の面等において劣るものであった。
【０００５】
本発明はこのような点に基づいてなされたものでその目的とするところは、簡単な構成で、且つ、簡単な作業によって、強度及び居住性に優れた建築物を構築することを可能にするラティスパネルと建築物構築方法と建築物を提供することにある。
【課題を解決するための手段】
【０００６】
上記目的を達成するべく本発明の請求項１によるラティスパネルは、十文字状をなす第１骨組材と、Ｌ字状をなす第２骨組材と、上記第１骨組材を適当数用意してそれらを連接していくと共にその外周に上記第２骨組材を連接することにより組み立てられたパネル本体の外周部に取り付けられた枠材と、を具備したことを特徴とするものである。
又、請求項２によるラティスパネルは、請求項１記載のラティスパネルにおいて、上記第１骨組材は４個の延長部の端部に係合部を備えており、隣接する第１骨組材同士は夫々の係合部同士を係合させることにより連接されることを特徴とするものである。
又、請求項３によるラティスパネルは、請求項１又は請求項２記載のラティスパネルにおいて、上記第２骨組材の２個の延長部の端部にも上記第１骨組材の係合部と同形状の係合部が設けられており、該係合部と上記第１骨組材の係合部を介して上記第１骨組材に連接されることを特徴とするものである。
又、請求項４によるラティスパネルは、請求項２又は請求項３記載のラティスパネルにおいて、上記係合部同士を係合させたときに中空部が形成され、該中空部内に軸部材を挿入するようにしたことを特徴とするものである。
又、請求項５によるラティスパネルは、請求項４記載のラティスパネルにおいて、上記軸部材は中空部材であって雌ねじ部を備えていて、該雌ねじ部に片側或いは両側からねじ部材を螺合させるようにしたことを特徴とするものである。  
又、請求項６によるラティスパネルは、請求項１〜請求項５の何れかに記載のラティスパネルにおいて、上記第２骨組材のＬ字状の角部には平坦部が形成されていて、該平坦部を介して上記枠材に固定されることを特徴とするものである。
又、請求項７によるラティスパネルは、請求項１〜請求項６の何れかに記載された第１パネルと、上記枠材のみによって形成された第２パネルと、を具備し、これら第1パネルと第２パネルを適当数連接して構成されたことを特徴とするものである。
又、請求項８による建築物構築方法は、請求項１〜請求項７の何れかに記載のラティスパネルを使用して建築物の壁を構築することを特徴とするものである。
又、請求項９による建築物は、請求項１〜請求項７の何れかに記載のラティスパネルを使用して構築された壁を備えたことを特徴とするものである。
【発明の効果】
【０００７】
以上本発明によるラティスパネルと建築物構築方法と建築物によると次のような効果を奏することができる。
まず、本発明の請求項１によるラティスパネルによると、十文字状をなす第１骨組材と、Ｌ字状をなす第２骨組材と、上記第１骨組材を適当数用意してそれらを連接していくと共にその外周に上記第２骨組材を連接することにより組み立てられたパネル本体の外周部に取り付けられた枠材と、を具備した構成としたので、比較的簡単な構成で充分な強度を備えた壁構造物を提供することが可能になる。
又、請求項２によるラティスパネルによると、第１骨組材は４個の延長部の端部に係合部を備えており、隣接する第１骨組材同士は夫々の係合部同士を係合させることにより連接されるように構成しているので、第１骨組部材同士の連結作業が簡単なものとなると共に信頼性の高い連結構造を得ることが可能になる。
又、請求項３によるラティスパネルによると、第２骨組材の２個の延長部の端部にも上記第１骨組材の係合部と同形状の係合部が設けられており、該係合部と上記第１骨組材の係合部を介して上記第１骨組材に連接されるように構成したので、第１骨組部材と第２骨組部材との連結作業が簡単なものとなると共に信頼性の高い連結構造を得ることが可能になる。
又、請求項４によるラティスパネルによると、係合部同士を係合させたときに中空部が形成され、該中空部内に軸部材を挿入するように構成したので、該軸部材の挿入によってより強固な連結状態を得ることができる。
又、請求項５によるラティスパネルによると、軸部材は中空部材であって雌ねじ部を備えていて、該雌ねじ部に片側或いは両側からねじ部材を螺合させるように構成しているので、さらに強固な連結状態を得ることができる。  
又、請求項６によるラティスパネルによると、第２骨組材のＬ字状の角部には平坦部が形成されていて、該平坦部を介して上記枠材に固定されるように構成したので、枠材に対する固定状態が安定したものとなる。
又、請求項７によるラティスパネルによると、請求項１〜請求項６の何れかに記載の第１パネルと、枠材のみによって形成された第２パネルと、を具備し、これら第1パネルと第２パネルを適当数連接して構成したので、全てを第１パネルによって構成する場合に比べて、物量の低減、組立作業の容易化を図ることができる。
又、請求項８による建築物構築方法によると、比較的簡単な作業によって所望の強度を備えた建築物を構築することが可能になる。
又、請求項９による建築物によると、比較的簡単な構成によって所望の強度を備えた建築物を提供することができる。
【発明を実施するための最良の形態】
【０００８】
以下、図１及び図１２を参照して本発明の第１の実施の形態を説明する。図１は本実施の形態によるラティスパネルの一部の構成を示す正面図であり、基本的には、第１パネル３と、第２パネル５を千鳥状に配置してラティスパネル１を構成しているものである。
【０００９】
上記第１パネル３は、十文字状をなす第１骨組材７を適当数連接すると共にその外周部にＬ字状をなす第２骨組材９を連接し、その外周を枠材１１によって囲んだ構成をなしている。一方、上記第２パネル５は、枠１１のみから構成されているものである。
尚、上記第１パネル３の枠材１１の内側には、例えば、ガラス板やアルミ板等が嵌め込まれることになるが、図１では省略している。
【００１０】
上記第１骨組材７は、図２に示すような構成をなしている。すなわち、十文字状に構成された骨組材本体１３と、この骨組材本体１３の中心位置に設けられた中心部１５と、該中心部１５に穿孔された貫通孔１７と、上記骨組材本体の４本の延長部１３ａの先端に設けられた係合部１９とから構成されている。
【００１１】
上記係合部１９は、長手方向に延長・形成された第１凹部２１と、この第１凹部２１に連続して形成された略半円状の第２凹部２３と、この第２凹部２３の外側の第１凸部２５と、先端に突出された第２凸部２７とから構成されている。上記第１凹部２１の端部には上記第２凸部２７の先端部の形状と同形状の凹部が形成されている。そして、上記第１凹部２１内には隣接する別の第１骨組材７の係合部１９の第２凸部２７が係合することになる。
尚、４本の延長部１３ａの先端に設けられた係合部１９は全て同じ形状になっている。
【００１２】
次に、第２骨組材９の構成を説明する。上記第２骨組材９は、図３に示すような構成になっている。まず、Ｌ字状に構成された骨組材本体２９があり、この骨組材本体２９の角部には平坦部３１が形成されている。この平坦部３１には貫通孔３２が穿孔されている。又、二本の延長部２９ａの先端には係合部３３が設けられている。
【００１３】
上記係合部３３は、既に説明した第１骨組材７の係合部１９と同じ構成をなしている。すなわち、長手方向に延長・形成された第１凹部３５と、この第１凹部３５に連続して形成された略半円状の第２凹部３７と、この第２凹部３７の外側の第１凸部３９と、先端に突出された第２凸部４１とから構成されている。上記第１凹部３５の端部には上記第２凸部４１の先端部の形状と同形状の凹部が形成されている。そして、上記第１凹部３５内には隣接する第１骨組材７の係合部１９の第２凸部２７が係合することになる。
尚、２本の延長部１２９ａの先端に設けられた係合部３３は全て同じ形状になっている。
【００１４】
又、隣接する第１骨組材７、７の係合部１９、１９を連結した状態を図４に示す。上記係合部１９と係合部１９を係合させることにより、双方の第２凹部２３、２３によって円形の中空部が形成される。該中空部内には連結用の軸部材３０が挿入・配置されて、接着剤により接着・固定されることになる。
尚、その際、上記軸部材３０を中空状に構成して雌ねじ部を備えさせ、そこに両側又は片側からねじ部材を螺合させるような構成も考えられる。
尚、第１骨組材７と第２骨組材９の係合部１９、３３の連結も同じである。
【００１５】
次に、図１中符号Ｖで示す部分の構成を説明する。図５は上記Ｖ部を拡大して示す図であり、まず、十文字状をなす第１スペーサ４３が配置されていて、この十文字状の第１スぺーサ４３が、隣接する第１パネル３と第２パネル５の枠材１１、１１間に介挿されているものである。そして、ボルト４５とナット４７とからなる複数組の締結具によって締結・固定されているものである。
上記第１スペーサ４３を図６に示す。
【００１６】
次に、図５におけるＶＩＩＩ−ＶＩＩＩ断面図を図８に示す。上記ボルト４５とナット４７とからなる締結具による締結個所は奥行方向に二箇所にわたって設けられている。又、図８に示すように、各枠材１１、１１の端は合わせ部４６、４６を備えていて、これら合わせ部４６、４６を合わせた個所にはガスケット４７を介して表面枠材４９が取り付けられている。上記表面枠材４９はビス５１によって固定されている。そして、上記ガスケット４７と別のガスケット５３との間にペアガラス５５が挟持・固定されているものである。
尚、図８中符号５７はシールを示している。
【００１７】
尚、図９に示すように、ペアガラス５５以外にも、例えば、アルミハニカム板５９を取り付けることもある。このアルミハニカム板５９は、アルミ板よりなる枠体６１と、この枠体６１内に内装されたフェノール樹脂充填ハニカム材６３とから構成されている。
尚、図９中符号６５は樹脂製エッジである。
【００１８】
一方、図５に戻って、第１パネル３と第２パネル５との接合部であって、第２骨組材９の平坦部３１が位置する個所を見てみると、第２スペーサ６７が介挿されている。この第２スペーサ６７を図７に示す。上記第２スペーサ６７が配置されている個所の接続構造は図１０、図１１に示すような構成になっている。
【００１９】
まず、枠材１１、１１とその間に配置された第２スペーサ６７には貫通孔６９、７１、７３が形成されていて、そこには六角ナット７５が挿入されている。そして、この六角ナット７５に対して、両側から固定ボルト７７、７９が螺合されているものである。それによって、第１パネル３側と第２パネル５側とが連結されているものである。
又、図１１に示すように、上記六角ナット７５と固定ボルト７７、７９とによる固定個所は奥行方向に二箇所にわたって配置されているものである。
【００２０】
次に、図１２を参照して、図１のＸＩＩ部の構成を説明する。まず、ベース部材８１が配置されていて、このベース部材８１はベース部８３と、スペーサ部８５とから構成されている。上記ベース部８３は、例えば、接地面Ｇに接地されて、アンカーボルト８７とナット８９とからなる固定具によって固定される。
【００２１】
一方、上記スペーサ部８５は、略Ｔ字状をなしていて、その延長部８５ａは第１パネル３と第２パネル５の枠材１１、１１間に挿入されている。そして、ボルト９１とナット９３とからなる締結具によって締結・固定されているものである。
【００２２】
そして、上記構成をなすラティスパネル１を使用して建築物の壁構造物を構築していくものである。その際、繰り返しになるが、第１パネル３、第２パネル５には、ペアガラス板５５やアルミハニカム板５９が取り付けられるものである。
【００２３】
以上、本実施の形態によると次のような効果を奏することができる。
まず、本実施の形態の場合には、十文字状をなす第１骨組材７とＬ字状をなす第２骨組材９と上記第１骨組材７を適当数用意してそれらを連接していくと共にその外周に上記第２骨組材９を連接することにより組み立てられたパネル本体の外周部に取り付けられた枠材１１とから構成しているので、比較的簡単な構成で十分な強度を備えた壁構造物を提供することが可能になる。つまり、比較的簡単な構造、簡単な作業によって所望の強度を備えた壁構造物を得ることができるものである。
又、第１骨組材７は４個の延長部1３ａの端部に係合部１９を備えており、隣接する第１骨組材７同士は夫々の係合部１９、１９同士を係合させることにより連接されるように構成されているので、第１骨組部材７、７同士の連結作業が簡単なものとなると共に信頼性の高い連結構造を得ることが可能になる。
又、第２骨組材９の２個の延長部２９ａの端部にも第１骨組材７の係合部１９と同形状の係合部３３が設けられており、該係合部３３と上記第１骨組材７の係合部１９を介して上記第１骨組材７に連接されるように構成されているので、第１骨組部材７と第２骨組部材９との連結作業も簡単なものとなると共に信頼性の高い連結構造を得ることが可能になる。
又、係合部１９、１９或いは１９、３３同士を係合させたときに形成される中空部内に軸部材３０を挿入して接着・固定するようにしたので、より強固な連結状態を得ることができる。
又、第２骨組材９のＬ字状の角部には平坦部３１が形成されていて、該平坦部３１を介して枠材１１に固定されるように構成されているので、枠材１１に対する固定状態が安定したものとなる。
又、第１パネル７と枠材のみによって形成された第２パネル９とを千鳥状に配置して連接したので、全てを第１パネル７によって構成する場合に比べて、物量の低減、組立作業の容易化を図ることができる。
【００２４】
次に、図１３を参照して本発明の第２の実施の形態を説明する。これは、第１骨組材７と第２骨組材９の係合部の構成を変えたものである。図１３は第１骨組材７、７同士の連結部の構成を示す図であり、各係合部１０１、１０１は次のような構成になっている。まず、軸方向に形成された第１凹部１０３と、この第１凹部１０３に連続して形成された略半円状の第２凹部１０５と、この第２凹部１０５の外側の第１凸部１０７と、先端に突出された第２凸部１０９とから構成されている。上記第１凹部１０３内には隣接する別の第１骨組材７の係合部１０１の第２凸部１０９が係合することになる。
尚、四方延長部１３ａの先端に設けられた係合部１０１は全て同じ形状になっていると共に第２骨組材９の係合部も同じである。
このような構成でも前記第１の実施の形態と同様の効果を奏することができる。
【００２５】
次に、図１４を参照して本発明の第３の実施の形態を説明する。これは、第１骨組材７と第２骨組材９の係合部の構成をさらに変えたものである。図１４は第１骨組材７、７同士の連結部の構成を示す図であり、各係合部２０１、２０１は次のような構成になっている。まず、軸方向に形成された第１凹部２０３と、この第１凹部２０３に連続して形成された略半円状の第２凹部２０５と、この第２凹部２０５の外側の第１凸部２０７と、先端に突出された第２凸部２０９とから構成されている。上記第１凹部２０３内には隣接する別の第１骨組材７の係合部２０１の第２凸部２０９が係合することになる。
尚、四方延長部１３ａの先端に設けられた係合部２０１は全て同じ形状になっていると共に第２骨組材９の係合部も同じである。
このような構成でも前記第１及び第２の実施の形態と同様の効果を奏することができる。
【００２６】
次に、図１５及び図１６を参照して本発明の第４の実施の形態を説明する。前記第１乃至第３の実施の形態の場合には、第２骨組部材９の枠材１１への固定を、六角ナット７５と固定ボルト７７、７９によって行っていたが（図１０に示す）、この第４の実施の形態の場合には、これをリベット３０１によって行うようにしたものである。このような構成でも前記第１〜第３の実施の形態の場合と同様の効果を奏することができる。
【００２７】
尚、本発明は前記第１〜第４の実施の形態に限定されるものではない。
まず、前記各実施の形態の場合にはラティスパネルを第１パネルと第２パネルとから構成するようにしたが、これを全て第１パネルから構成するようにしてもよい。
又、各パネルの枠の内側にどのような板材を嵌め込むかは任意である。
その他図示したものはあくまで一例である。
【産業上の利用可能性】
【００２８】
本発明によるラティスパネルと建築物構築方法と建築物は、各種建築物の壁構造物として適用可能であり、比較的簡単な構成、簡単な作業によって、所望の強度を備えた壁構造物を得ることができる。
【図面の簡単な説明】
【００２９】
【図１】本発明の第１の実施の形態を示す図で、ラティスパネルの正面図である。
【図２】本発明の第１の実施の形態を示す図で、十文字状をなす第１骨組材の平面図である。
【図３】本発明の第１の実施の形態を示す図で、Ｌ字状をなす第２骨組材の平面図である。
【図４】本発明の第１の実施の形態を示す図で、第１骨組材同士の連結或いは第1骨組材と第２骨組材の連結の構造を示す図である。
【図５】本発明の第１の実施の形態を示す図で、図１のＶ部を拡大して示す正面図である。
【図６】本発明の第１の実施の形態を示す図で、スペーサの正面図である。
【図７】本発明の第１の実施の形態を示す図で、スペーサの正面図である。
【図８】本発明の第１の実施の形態を示す図で、図５のＶＩＩＩ−ＶＩＩＩ断面図である。
【図９】本発明の第１の実施の形態を示す図で、ラティスパネルの断面図である。
【図１０】本発明の第１の実施の形態を示す図で、図５のＸ部を拡大して示す図である。
【図１１】本発明の第１の実施の形態を示す図で、図１０のＸＩ−ＸＩ断面図である。
【図１２】本発明の第１の実施の形態を示す図で、図１のＸＩＩ部を拡大して示す図である。
【図１３】本発明の第２の実施の形態を示す図で、第１骨組材同士の連結或いは第1骨組材と第２骨組材の連結の構造を示す図である。
【図１４】本発明の第３の実施の形態を示す図で、第１骨組材同士の連結或いは第1骨組材と第２骨組材の連結の構造を示す図である。
【図１５】本発明の第４の実施の形態を示す図で、ラティスパネルの一部正面図である。
【図１６】本発明の第４の実施の形態を示す図で、図１５のＸＶＩ部を拡大して示す図である。
【符号の説明】
【００３０】
１  ラティスパネル
３  第１パネル
５  第２パネル
７  第１骨組部材
９  第２骨組部材
１１  枠材
１９  第１骨組材の係合部
３０  軸部材
３３  第２骨組材の係合部
５５  ペアガラス板
５９  アルミハニカム板
【図１】
2005083089.tif 000003
【図２】
2005083089.tif 000004
【図３】
2005083089.tif 000005
【図４】
2005083089.tif 000006
【図５】
2005083089.tif 000007
【図６】
2005083089.tif 000008
【図７】
2005083089.tif 000009
【図８】
2005083089.tif 000010
【図９】
2005083089.tif 000011
【図１０】
2005083089.tif 000012
【図１１】
2005083089.tif 000013
【図１２】
2005083089.tif 000014
【図１３】
2005083089.tif 000015
【図１４】
2005083089.tif 000016
【図１５】
2005083089.tif 000017
【図１６】
2005083089.tif 000018
【手続補正書】
【提出日】平成16年3月22日(2004.3.22)
【手続補正１】
【補正対象書類名】図面
【補正対象項目名】全図
【補正方法】変更
【補正の内容】
【図１】
2005083089.tif 000019
【図２】
2005083089.tif 000020
【図３】
2005083089.tif 000021
【図４】
2005083089.tif 000022
【図５】
2005083089.tif 000023
【図６】
2005083089.tif 000024
【図７】
2005083089.tif 000025
【図８】
2005083089.tif 000026
【図９】
2005083089.tif 000027
【図１０】
2005083089.tif 000028
【図１１】
2005083089.tif 000029
【図１２】
2005083089.tif 000030
【図１３】
2005083089.tif 000031
【図１４】
2005083089.tif 000032
【図１５】
2005083089.tif 000033
【図１６】
2005083089.tif 000034